(57)【要約】【課題】  花屋さん及び生花を知人に届ける個人にとって生花の取扱いが容易であるとともに生花を買ったお客様あるいは生花を頂いた人がそのまま花器として使用できる生花の保持具を提供する。【解決手段】全体が截頭円錐形であり外周の縦方向に所定間隔をあけて谷部２を形成した外筒体１と、該外筒体１の内部に格納されて上端が外筒体１の上部に固定された耐水性の袋体３とからなり、好ましくは、前記外筒体１の谷部２を下部方向に行くにしたがって深く形成し、さらに好ましくは、前記外筒体１の上部開口部に紐４を内蔵してなる。【選択図】  図１
0003202937.tif 000002
【実用新案登録請求の範囲】
【請求項１】
全体が截頭円錐形であり外周の縦方向に所定間隔をあけて谷部を形成した外筒体と、該外筒体の内部に格納されて上端が外筒体の上部に固定された耐水性の袋体とからなることを特徴とする生花の保持具。
【請求項２】
前記外筒体の谷部を下部方向にしたがって深く形成したことを特徴とする請求項１に記載の生花の保持具。  
【請求項３】
前記外筒体の上部開口部に紐を内蔵したことを特徴とする請求項１又は２に記載の生花の保持具。
【請求項４】
前記外筒体を厚紙で構成したことを特徴とする請求項１、２又は３に記載の生花の保持具。
【考案の詳細な説明】
【技術分野】
【０００１】
本考案は花器を兼ねる生花の保持具に関する。
【背景技術】
【０００２】
花屋が生花（花束）をお客様に売った時、個人が生花をプレゼントあるいはお見舞いなどとして知人に届ける際に使用する生花の支持具として、支持部と円形底盤部からなり、支持部は、複数のＳ字形状片から構成された花弁形状体からなり、Ｓ字形状片は、相互に結合されて支持部の水平断面において点対称な花弁形状のシェル構造を形成し、円形底盤部は、内部が空洞の円形状シェル構造を構成してなり、支持部と円形底盤部とは一体に結合されてシェル構造を構成した生花の支持具が提案されている。また、該生花の支持具と防水シートとの組み合わせが提案されている（登録実用新案第３１７２４６２号）。
【０００３】
前記生花の支持具は、支持部と円形底盤部からなる支持具に生花を支持する際には別に用意した生花挿入補助具を使用し、該生花挿入補助具を前記支持部に挿入し、該生花挿入補助具に生花の束を挿入し、その後、前記生花挿入補助具を支持具から取り出し、さらに生花を支持した前記支持部を防水シートで覆い、支持部内に水を容れた後に上部をリボン状体で結ぶなど多くの手数を要するものであった。さらに防水シート内の収容水の流動により安定性に欠けるものであった。
【先行技術文献】
【特許文献】
【０００４】
【特許文献１】実用新案登録第３０９１８８０号公報
【考案の概要】
【考案が解決しようとする課題】
【０００５】
本考案は、花屋及び生花を知人に届ける人にとって生花の取扱いが容易であるとともに花器を所有しないで生花を買ったお客あるいは生花を受け取った人がそのまま花器として使用することが可能であり、したがって生花を受け取った人が予め花器を準備しあるいは生花の活け直しをする必要がなく、さらに生花を安定的に保持して生花の延命を図ることができる生花の保持具を提供することを目的とする。また、花器として不要になった場合にも後処理が容易な生花の保持具を提供することを目的とする。さらに携帯時に花束のグリップとして機能する生花の保持具を提供することを目的とする。
【課題を解決するための手段】
【０００６】
前記課題を解決するため、本考案に係る生花の保持具は、全体が截頭円錐形であり外周の縦方向に所定間隔をあけて谷部を形成した外筒体と、該外筒体の内部に格納されて上端が外筒体の上部に固定された耐水性の袋体とからなることを特徴とする（請求項１）。
【０００７】
前記構成の本考案の生花の保持具は、外筒体が截頭円錐形であるため生花（花束）の挿入部に比べて接地面積が大きく生花を安定的に保持することができる。また、外筒体の外周の縦方向に所定間隔をあけて谷部を形成したため縦方向に加わる生花の荷重に対して強度を有し屈曲等の変形が防止される。したがって、加工の容易な厚紙等で構成することが可能である。さらに前記外筒体の内部に耐水性の袋体を設けたためその内部に水、ジェル材あるいは水を含ませたスポンジ等を収納して使用することにより生花の延命を図ることができ活け直しも容易である。
【０００８】
本考案の他の実施の一形態は、前記外筒体の谷部を下部方向に行くにしたがって深く形成したことを特徴とする（請求項２）。この実施の一形態によれば、外筒体の接地面積がさらに大きくなり安定性が向上する。また、外筒体の下部を収縮させると上部及び下部が同一径の円筒体となり、携帯時にグリップとして機能し花束の取扱い容易である。
【０００９】
本考案の他の実施の一形態は、前記外筒体の上部開口部に紐を内蔵したことを特徴とする（請求項３）。この実施の一形態によれば、外筒体の上部開口部を生花の茎部に合わせて軽く絞り生花を程よく安定させて保持することができる。
【００１０】
本考案の他の実施の一形態は、前記外筒体を厚紙で構成したことを特徴とする（請求項４）。この実施の一形態によれば、不要になった場合には可燃ごみとして後処理が可能であり、また、加工が容易であり安価に提供できる。
【考案の効果】
【００１１】
本考案によれば、花屋及び生花を知人に届ける人にとってラッピングされた生花の取扱いが容易であるとともに生花を買ったお客あるいは生花を受け取った人がそのまま花器として使用することが可能であり、したがって受け取った人が予め花器を準備しあるいは生花の活け直しをする必要がない。なお、活け直しをする場合には前記ラッピングを解いて行なえばよい。さらに生花を安定的に保持して耐水性の袋体を利用して生花の延命を図ることができる。その他、花器として不要になった場合の後処理が容易である。さらに下部を収縮させるとグリップとなり携帯時の花束の取扱いが容易である。
【図面の簡単な説明】
【００１２】
【図１】本考案の実施の一形態に係る生花の保持具の一部を切り欠いた斜視図である。
【図２】図１の生花の保持具の縦断面図である。
【図３】本考案の使用状態を示す斜視図である。
【考案を実施するための形態】
【００１３】
以下に、添付図面を参照して、本考案を実施するための最良の形態について説明する。
【００１４】
本考案の生花の保持具Ｈは、全体が截頭円錐形である。すなわち、円錐形の頭部を水平に除去した形状である。素材は各種の厚紙、その他シート状の樹脂であってもよい。
【００１５】
本考案では、印刷、その他の表面加工が施された厚紙が生花の保持具として完成品を展開した状態の略扇形に打ち抜き加工される。さらに該打ち抜きと同時にあるいは別工程で前記略扇形の厚紙に折曲部が放射状に形成される。該折曲部の形成は押圧加工により行なわれる。
【００１６】
その後、外周の縦方向に所定間隔をあけて谷部２を形成しつつ前記略扇形の厚紙の両端を接合して前記谷部２を形成した外筒体１が形成される。なお、図面実施例では、前記それぞれの谷部２は下部方向に行くにしたがって深く形成されている。
【００１７】
さらに、本考案では、前記外筒体１の内部に耐水性の袋体３が設けられる。該袋体３は外筒体１の上部の内側面に上端を固定して吊り下げられる。図面実施例では、前記外筒体１の内側面に予め樹脂をラミネートし前記袋体３の上端を溶着し、さらに前記外筒体１の上端を内側に折り曲げて構成している。
【００１８】
なお、前記外筒体１の上部の内側面に対する袋体３の上端の固定はシール止めやホッチキス（登録商標）止め等でもよい。
【００１９】
図中、４は前記外筒体１の上部開口部に内蔵した紐であり、リボン紐、ゴム紐が好ましい。該紐４を設けることにより開口部を生花の茎部の径に合わせて軽く絞り生花を程よく安定させて保持することができる。図中、Ｆは生花（花束）である。前記の通り本考案の生花の保持具は生花の流通過程において多くの効果を有するものである。
【符号の説明】
【００２０】
１  外筒体
２  谷部
３  耐水性の袋体
４  紐
【図１】
0003202937.tif 000003
【図２】
0003202937.tif 000004
【図３】
0003202937.tif 000005